(57)【要約】【目的】打撃による本体と芯材の分離が防止され、安全で破損し難い武具おもちゃを提供する。【構成】刀剣・槍・武術棒の如き棒状体の武具を模した武具おもちゃにおいて、  前記武具おもちゃが、武具を模した形状を有する本体と、該本体の内部に埋設した芯材とを有して構成され、  前記本体が、軟質発泡樹脂で形成されており、  前記芯材が、孔・凹溝・凸条・リブ・節の如き凹凸の少なくとも１つから成る定着部が設けられると共に可撓性樹脂で形成されている構成であることを特徴とする武具おもちゃである。【選択図】        図１
2007075330.tif 000002
【特許請求の範囲】
【請求項１】
刀剣・槍・武術棒の如き棒状体の武具を模した武具おもちゃにおいて、
前記武具おもちゃが、武具を模した形状を有する本体と、該本体の内部に埋設した芯材とを有して構成され、
前記本体が、軟質発泡樹脂で形成されており、
前記芯材が、孔・凹溝・凸条・リブ・節の如き凹凸の少なくとも１つから成る定着部が設けられると共に可撓性樹脂で形成されている
構成であることを特徴とする武具おもちゃ。
【請求項２】
前記定着部が、前記本体の持ち手部分と打撃部分に埋設する位置を含む個所に形成された構成であることを特徴とする請求項１に記載の武具おもちゃ。
【請求項３】
前記定着部が、貫通孔であることを特徴とする請求項１又は２に記載の武具おもちゃ。
【請求項４】
前記芯材が、前記本体の先端側に位置する先端部分に丸みを帯びた膨大部を有する長尺状体であることを特徴とする請求項１〜３のいずれかに記載の武具おもちゃ。
【請求項５】
前記長尺状体の芯材が板状体であり、該板状体の長さ・幅・厚みの内の幅の配設方向と、武具おもちゃ使用時の打撃方向とを略一致させた状態で前記本体に埋設されている構成であることを特徴とする請求項４に記載の武具おもちゃ。
【請求項６】
前記板状体の芯材の周縁ないし周縁近傍に沿って厚肉部を有する構成であることを特徴とする請求項５に記載の武具おもちゃ。
【請求項７】
前記芯材が、前記本体の持ち手部分の後端部ないし後端部近傍から前記本体の先端部から間隔を有した位置まで埋設された構成であることを特徴とする請求項１〜６のいずれかに記載の武具おもちゃ。
【請求項８】
芯材を挿入し仮固定した金型内に、軟質発泡樹脂材料を注入し、発泡成形して得られたことを特徴とする請求項１〜７のいずれかに記載の武具おもちゃ。
【発明の詳細な説明】
【技術分野】
【０００１】
本発明は、武具おもちゃに関し、詳しくは刀剣、槍、武術棒等の棒状体の武具のおもちゃに関する。
【背景技術】
【０００２】
従来、武具おもちゃ等としては、刀剣、槍、武術棒等の棒状体の武具を、外観を本物に似せたり或いはデフォルメしたデザインとする等して本物を模した形状とすると共に、材質・構造等を柔軟で安全なものとすることで、スポーツ競技やおもちゃとして利用することが知られている。
【０００３】
例えば、護身術練習用やスポーツ武道等の競技用・練習用のものとしては、スポンジ等の軟質発泡樹脂から形成されたソフト太刀（特許文献１参照）が知られており、また、おもちゃとしては、発泡樹脂から形成されたおもちゃ剣（特許文献２参照）が知られている。
【０００４】
【特許文献１】登録実用新案第３００１００４号公報
【特許文献２】実開平６−９６９９号公報
【発明の開示】
【発明が解決しようとする課題】
【０００５】
特許文献１の技術は、持ち手となるグリップ部にパイプ状の芯材を差込固定し、該芯材の外側をスポンジ材で被覆し、更に該スポンジ材を包装材で被覆する構成によって打撃時の衝撃を緩和した競技用・練習用のソフト太刀である。
【０００６】
しかしこの技術では、打撃を繰り返すうちに、度重なる打撃時の衝撃や撓りによってスポンジ材が芯材から分離し易いという問題点を有している。このため、太刀としての形状が崩れ易いだけでなく、スポンジ材と芯材とが分離することで、スポンジ材が偏ってしまったり崩れてしまう場合があり、スポンジ材が薄くなったり無くなってしまった部分で打撃すると極めて危険であるという問題を有している。
【０００７】
特許文献２の技術は、剣の刃本体が発泡ポリエチレン製であるため、柔軟ではあるがいわゆる「腰が無い」状態となり易く、「腰を出す」ために硬度を上げると折れ易くなったり刃本体の形状によっては危険となってしまう問題を有している。また、打撃時の衝撃による応力が持ち手である柄との接合部に集中してしまうため、この部分の刃本体が破損し易いという問題を有している。
【０００８】
そこで本発明の課題は、打撃による本体と芯材の分離が防止され、安全で破損し難い武具おもちゃを提供することを目的とする。
【課題を解決するための手段】
【０００９】
上記課題を解決する本発明は下記構成を有する。
【００１０】
１．刀剣・槍・武術棒の如き棒状体の武具を模した武具おもちゃにおいて、
前記武具おもちゃが、武具を模した形状を有する本体と、該本体の内部に埋設した芯材とを有して構成され、
前記本体が、軟質発泡樹脂で形成されており、
前記芯材が、孔・凹溝・凸条・リブ・節の如き凹凸の少なくとも１つから成る定着部が設けられると共に可撓性樹脂で形成されている
構成であることを特徴とする武具おもちゃ。
【００１１】
２．前記定着部が、前記本体の持ち手部分と打撃部分に埋設する位置を含む個所に形成された構成であることを特徴とする上記１に記載の武具おもちゃ。
【００１２】
３．前記定着部が、貫通孔であることを特徴とする上記１又は２に記載の武具おもちゃ。
【００１３】
４．前記芯材が、前記本体の先端側に位置する先端部分に丸みを帯びた膨大部を有する長尺状体であることを特徴とする上記１〜３のいずれかに記載の武具おもちゃ。
【００１４】
５．前記長尺状体の芯材が板状体であり、該板状体の長さ・幅・厚みの内の幅の配設方向と、武具おもちゃ使用時の打撃方向とを略一致させた状態で前記本体に埋設されている構成であることを特徴とする上記４に記載の武具おもちゃ。
【００１５】
６．前記板状体の芯材の周縁ないし周縁近傍に沿って厚肉部を有する構成であることを特徴とする上記５に記載の武具おもちゃ。
【００１６】
７．前記芯材が、前記本体の持ち手部分の後端部ないし後端部近傍から前記本体の先端部から間隔を有した位置まで埋設された構成であることを特徴とする上記１〜６のいずれかに記載の武具おもちゃ。
【００１７】
８．芯材を挿入し仮固定した金型内に、軟質発泡樹脂材料を注入し、発泡成形して得られたことを特徴とする上記１〜７のいずれかに記載の武具おもちゃ。
【発明の効果】
【００１８】
請求項１に示す発明によれば、本体が軟質発泡樹脂で形成されており、本体に埋設した芯材が孔・凹溝・凸条・リブ・節の如き凹凸の少なくとも１つから成る定着部が設けられると共に可撓性樹脂で形成されている構成により本体と芯材とを定着することができるので、打撃による本体と芯材の分離が防止され、安全で破損し難い武具おもちゃを提供することができる。
【００１９】
請求項２に示す発明によれば、定着部が、前記本体の持ち手部分と打撃部分に埋設する位置を含む個所に形成された構成により、特に分離し易い持ち手部分と打撃部分での本体と芯材との定着をより強固とすることができる。
【００２０】
請求項３に示す発明によれば、定着部が貫通孔である構成により、この貫通孔に軟質発泡樹脂が入り、本体の表裏に通じるので、本体と芯材との定着をより強固とすることができる。
【００２１】
請求項４に示す発明によれば、芯材が、本体の先端側に位置する先端部分に丸みを帯びた膨大部を有する長尺状体である構成により、使用時に先端で突いても安全である。
【００２２】
請求項５に示す発明によれば、長尺状体の芯材が板状体であり、該板状体の長さ・幅・厚みの内の幅の配設方向と、武具おもちゃ使用時の打撃方向とを略一致させた状態で前記芯材が前記本体に埋設されている構成により、打撃の際に本体がしなったり曲がったり等の変形を抑制することができるので、撓りによる鞭打ち効果で生じる打撃時の衝撃力の増加を防止することができる。また、打撃した際に、板状体の厚み方向に芯材（及び本体）が撓るので、衝撃力を横方向に逃がすことができるので、より安全である。
【００２３】
請求項６に示す発明によれば、板状体の芯材の周縁ないし周縁近傍に沿って厚肉部を有する構成により、本体と芯材との定着を更に強固にすることができると共に、振り回した際や打撃時の捩れを抑制することができる。特に、請求項３に記載の貫通孔を設けた構成と相俟って、本体に対する芯材の定着が極めて強固となる。
【００２４】
請求項７に示す発明によれば、芯材が、本体の持ち手部分の後端部ないし後端部近傍から本体の先端部から間隔を有した位置まで埋設された構成により、振り回した際や打撃時でも安定した状態で持ち手部分をしっかり握持することができると共に、使用時に先端で突いても安全である。
【００２５】
請求項８に示す発明によれば、芯材を挿入し仮固定した金型内に、軟質発泡樹脂材料を注入し、発泡成形することにより、請求項１〜７に示す武具おもちゃを得ることができる。
【発明を実施するための最良の形態】
【００２６】
次に、添付の図面に従って本発明を更に詳細に説明する。
本発明に係る武具おもちゃは、刀剣・槍・武術棒の如き棒状体の武具を模したものであり、本実施例では刀剣を模した武具おもちゃについて説明する。
【００２７】
図１は本発明に係る武具おもちゃの一実施例を示す正面図、図２は図１の平面図、図３は図１の左側面図、図４は本発明に好ましく用いられる芯材の一例を示す正面図である。
【００２８】
本発明に係る武具おもちゃは、刀剣を模した形状を有する本体１と、該本体１の内部に埋設した芯材２とを有して構成される。
【００２９】
本体１は、軟質発泡樹脂によって、本物の刀剣やデフォルメした刀剣やアニメや絵本・映画等に登場する刀剣を模した形状・模様・色彩で形成されている。
【００３０】
本体１を構成する軟質発泡樹脂としては、この種の玩具に用いられる公知公用のものを特別の制限なく用いることができ、例えば、軟質発泡ウレタン樹脂が好ましく挙げられる。
【００３１】
芯材２は、可撓性樹脂で形成された長尺状の板状体から成り、図４に示すように、本体１の軟質発泡樹脂との定着力を高めるために貫通孔から成る定着部２１が複数設けられている。定着部２１の形成位置としては、本体１の持ち手部分１１と打撃部分１２に埋設する位置であることが好ましい。特に、打撃部分１２に位置して応力及び衝撃を最も受ける部分である芯材２の先端部分２３に位置する定着部２１は他の定着部２１より大きく形成することが好ましい。
【００３２】
また、芯材２には、本体１の軟質発泡樹脂との定着力を更に高めるために、周縁に厚肉部２２が設けられている。
【００３３】
更に、芯材２は、使用時に先端を突いた際でも安全となるように、本体１の先端側に位置する先端部分２３には丸みを帯びた膨大部を有することが好ましい。
【００３４】
芯材２を構成する可撓性樹脂としては、この種の玩具の芯材として用いられる公知公用のものを特別の制限なく用いることができ、例えば、ポリエチレン樹脂が好ましく用いられる。
【００３５】
芯材２を金型の所定位置に配設した状態で本体１を発泡樹脂成形することで、芯材２は本体１の内部に埋設されると共に、本体１の軟質発泡樹脂が定着部２１を貫通した状態で一体化するので本体１と芯材２とが強固に定着することになる。
【００３６】
長尺状の板状体から成る芯材２を本体１に埋設する際、芯材２の本体１に対する埋設方向としては、板状体の長さ・幅・厚みの内の幅の配設方向と、武具おもちゃ使用時の打撃方向（図３の矢符Ｙで示す方向）とを略一致させた状態とすることが好ましい。
【００３７】
芯材２の幅の配設方向と打撃方向とを略一致させた状態で該芯材２を本体１に埋設することで、打撃の際に本体がしなったり曲がったり等の変形が抑制され、撓りによる鞭打ち効果で生じる打撃時の衝撃力の増加を防止することができる。また、かかる方向での埋設によって、打撃方向に直行する横方向（図２の矢符Ｘで示す方向）である板状体の厚み方向には芯材２（及び本体１）は撓ることができるので、打撃の際の衝撃力を横方向に逃がすことができ、より安全である。
【００３８】
また、芯材２を本体１に埋設する際、芯材２の本体１に対する埋設位置としては、本体１の持ち手部分１１の後端部ないし後端部近傍から前記本体１の先端部から間隔（図１の矢符Ｚで示す）を有した位置まで埋設された構成であることが好ましい。
【００３９】
芯材２を本体１の持ち手部分１１の後端部ないし後端部近傍の位置まで埋設することで、振り回した際や打撃時でも安定した状態で持ち手部分をしっかり握持することができる。また、本体１の先端部から間隔（図１の矢符Ｚで示す）を有した位置まで埋設することで、使用時に先端で突いても安全である。
【００４０】
次に、上記説明した本発明に係る武具おもちゃの成形法の一例について説明する。代表例として、芯材２の可撓性樹脂がポリエチレンであり、本体１の軟質発泡樹脂が軟質発泡ポリウレタンである場合について説明する。
【００４１】
先ず、ポリエチレンを用いて、公知の方法で芯材２を成形して得る。この芯材２を本体１の成形金型内に入れ仮固定する。
【００４２】
次に、ポリエステルとアジピン酸エステルの含水スルホン化物を含む活性化剤とを混合してからトリレンジイソシアネートを加え混合し、発泡が開始された後、上記成形金型に注入ないし射出する。樹脂材料は発泡状態のまま、芯材２の貫通孔（定着部２１）に入り込み、樹脂は硬化して連続気泡の成形品が得られる。例えば、成形金型は樹脂の注入ないし射出時には１５〜２５℃程度に保たれ、その後、８０℃程度に上げられることによって硬化することとなる。
【００４３】
上記の他、ポリエステル材料と発泡剤とを芯材２が仮固定された成形金型内に入れ、発泡される等の公知の方法が採用できる。
【００４４】
以上、本発明に係る武具おもちゃの実施例及び該武具おもちゃを得る成形法の一例について説明したが、本発明は上記実施例に限定されず、例えば、下記するような種々の構成を採ることができる。
【００４５】
芯材２は、上記実施例の長尺状の板状体に限らず、棒状体であってもよい。また、芯材２は、上記実施例の真直ぐの板状体に限らず、武具おもちゃの本体１の形状に合わせた形状、例えば、本体１が反り身の刀である場合には芯材２も本体１の曲線状に反らせた形状に合わせた形状を採ることができる。
【００４６】
芯材２の定着部２１としては、上記実施例の貫通孔に限定されず、凹溝・凸条・リブ・節の如き本体１と芯材２との定着力を高める凹凸であればよい。また、定着部２１は、孔・凹溝・凸条・リブ・節の如き凹凸を組合せて設ける構成としてもよい。
【００４７】
芯材２の厚肉部２２は、上記実施例の周縁に限らず、周縁近傍であってもよい
。また、周縁ないし周縁近傍の全域に限らず、断続的に形成する等のように少なくとも一部に設けられた態様としてもよい。
【００４８】
また、本発明に係る武具おもちゃとして、上記実施例では刀剣を模した武具おもちゃについて説明したが、本発明はこれに限らず、槍、武術棒、ヌンチャク、三節棍、刀、竹刀、棍棒の如き棒状体の武具を模したものとすることもできる。尚、武具ではないが、低年齢用の野球用バットを模したものにも適用することができる。
【図面の簡単な説明】
【００４９】
【図１】本発明に係る武具おもちゃの一実施例を示す正面図
【図２】図１の平面図
【図３】図１の左側面図
【図４】本発明に好ましく用いられる芯材の一例を示す正面図
【符号の説明】
【００５０】
１  武具おもちゃの本体
１１  持ち手部分
１２  打撃部分
２  芯材
２１  定着部
２２  厚肉部
２３  先端部分
【図１】
2007075330.tif 000003
【図２】
2007075330.tif 000004
【図３】
2007075330.tif 000005
【図４】
2007075330.tif 000006